【事件の表示】
　特許第３４５０８３０号「画情報送信システム、スキャナ装置およびユーザ端末装置、並びにスキャナ装置へのユーザ端末情報登録方法」の請求項１ないし１２に係る特許に対する特許異議の申立てについて、次のとおり決定する。
【結　論】
　訂正を認める。
　特許第３４５０８３０号の請求項１ないし１２に係る特許を維持する。
【理　由】
１．手続の経緯
　特許第３４５０８３０号の請求項１〜１２に係る発明についての出願は平成１３年２月２日にされたもので、平成１５年７月１１日にその発明について特許の設定登録がなされた後、その特許について正木　淳子より特許異議の申立てがなされ、取消理由が通知され、その指定期間内である平成１６年８月２日に訂正請求がなされたものである。
　
２．訂正の適否
（１）訂正の内容
訂正事項ａ：特許請求の範囲の請求項１〜１２を以下のとおり訂正する。
「【請求項１】  ネットワークに接続された１または２以上のスキャナ装置および１または２以上のユーザ端末装置で構成され、前記スキャナ装置で原稿から読み取った画情報を、前記スキャナ装置のメモリからユーザが呼び出したＩＰアドレスが割り当てられた前記ユーザ端末装置に直接送信する画情報送信システムにおいて、
前記ユーザ端末装置は探索信号を前記ネットワーク上へブロードキャスト送信し、前記スキャナ装置は前記探索信号を監視し前記探索信号を受信したならば自己のＩＰアドレスを含む応答信号を
自動的に
自動的に
自動的に
前記ユーザ端末情報は自己のＩＰアドレスの他にパスワードを含み、スキャナ装置はメモリに前記ＩＰアドレスおよび前記パスワードを関連付けて格納し、ユーザが前記ＩＰアドレスを呼び出し画情報の送信を指示したとき、パスワードの入力を要求し入力されたパスワードが前記ＩＰアドレスに関連付けられたパスワードと一致したならば前記画情報をユーザ端末装置に送信することを特徴とする画情報送信システム。
【請求項２】  ネットワークに接続された１または２以上のスキャナ装置および１または２以上のユーザ端末装置で構成され、前記スキャナ装置で原稿から読み取った画情報を、前記スキャナ装置のメモリからユーザが呼び出したＩＰアドレスが割り当てられた前記ユーザ端末装置に直接送信する画情報送信システムにおいて、
前記ユーザ端末装置は探索信号を前記ネットワーク上へブロードキャスト送信し、前記スキャナ装置は前記探索信号を監視し前記探索信号を受信したならば自己のＩＰアドレスを含む応答信号を
自動的に
自動的に
自動的に
前記探索信号はユーザ端末装置の所属情報を含み、スキャナ装置は前記所属情報を自己の所属情報と比較し両者が一致した場合に応答信号を返すことを特徴とする画情報送信システム。
【請求項３】  ネットワークに接続された１または２以上のスキャナ装置および１または２以上のユーザ端末装置で構成され、前記スキャナ装置で原稿から読み取った画情報を、前記スキャナ装置のメモリからユーザが呼び出したＩＰアドレスが割り当てられた前記ユーザ端末装置に直接送信する画情報送信システムにおいて、
前記ユーザ端末装置は探索信号を前記ネットワーク上へブロードキャスト送信し、前記スキャナ装置は前記探索信号を監視し前記探索信号を受信したならば自己のＩＰアドレスを含む応答信号を
自動的に
自動的に
自動的に
前記ユーザ端末情報は、自己のＩＰアドレスの他にユーザ名を含み、スキャナ装置はメモリに前記ＩＰアドレスおよび前記ユーザ名を関連付けて格納し、ユーザが前記ユーザ名を入力したならばこれに関連付けられたＩＰアドレスを前記メモリから呼び出し、呼び出したＩＰアドレス宛てに前記スキャナ装置で読み取ったデータを送信することを特徴とする画情報送信システム。
【請求項４】  原稿を読み取り画情報を得るスキャナ部と、ネットワークを介して接続された１または２以上のユーザ端末装置に割り当てられたＩＰアドレスとパスワードとを関連付けて格納するメモリと、前記メモリからユーザが呼び出したＩＰアドレスが割り当てられた前記ユーザ端末装置に対して前記画情報を直接送信する画情報送信部と、を具備するスキャナ装置であって、
前記ユーザ端末装置から前記ネットワーク上へブロードキャスト送信された探索信号を受信する探索パケット受信部と、前記探索信号を受信したならば自己のＩＰアドレスを含む応答信号を
自動的に
自動的に
自動的に
ユーザが前記ＩＰアドレスを呼び出し画情報の送信を指示したとき、前記パスワードの入力を要求する要求手段と、入力されたパスワードが前記ＩＰアドレスに関連付けられたパスワードと一致したならば前記画情報をユーザ端末装置に送信するファイル送信部とを備えることを特徴とするスキャナ装置。
【請求項５】  原稿を読み取り画情報を得るスキャナ部と、ネットワークを介して接続された１または２以上のユーザ端末装置に割り当てられたＩＰアドレスを格納するメモリと、前記メモリからユーザが呼び出したＩＰアドレスが割り当てられた前記ユーザ端末装置に対して前記画情報を直接送信する画情報送信部と、を具備するスキャナ装置であって、
前記ユーザ端末装置から前記ネットワーク上へブロードキャスト送信された、前記ユーザ端末装置の所属情報を含む探索信号を受信する探索パケット受信部と、前記探索信号を受信し、この探索信号に含まれる所属情報が自己の所属情報と比較し両者が一致した場合に、自己のＩＰアドレスを含む応答信号を
自動的に
自動的に
自動的に
【請求項６】  原稿を読み取り画情報を得るスキャナ部と、ネットワークを介して接続された１または２以上のユーザ端末装置に割り当てられたＩＰアドレスとユーザ名とを関連付けて格納するメモリと、前記メモリからユーザが呼び出したＩＰアドレスが割り当てられた前記ユーザ端末装置に対して前記画情報を直接送信する画情報送信部と、を具備するスキャナ装置であって、
前記ユーザ端末装置から前記ネットワーク上へブロードキャスト送信された探索信号を受信する探索パケット受信部と、前記探索信号を受信したならば自己のＩＰアドレスを含む応答信号を
自動的に
自動的に
自動的に
ユーザにより前記ユーザ名を入力する操作パネル部と、この操作パネル部からユーザ名が入力されると、これに関連付けられたＩＰアドレスを前記メモリから呼び出し、呼び出されたＩＰアドレス宛てに読み取ったデータを送信するファイル送信部を備えるスキャナ装置。
【請求項７】  ネットワークを介して接続された１または２以上のスキャナ装置から送信された画情報を受信する画情報受信部と、前記画情報を蓄積する画情報蓄積部とを具備するユーザ端末装置であって、
探索信号を前記ネットワーク上へブロードキャスト送信する探索パケット送信部と、前記探索信号を受信したスキャナ装置が
自動的に
自動的に
【請求項８】  ネットワークを介して接続された１または２以上のスキャナ装置から送信された画情報を受信する画情報受信部と、前記画情報を蓄積する画情報蓄積部とを具備するユーザ端末装置であって、
自己の所属情報を含む探索信号を前記ネットワーク上へブロードキャスト送信する探索パケット送信部と、前記探索信号を受信したスキャナ装置が
自動的に
自動的に
【請求項９】  ネットワークを介して接続された１または２以上のスキャナ装置から送信された画情報を受信する画情報受信部と、前記画情報を蓄積する画情報蓄積部とを具備するユーザ端末装置であって、
探索信号を前記ネットワーク上へブロードキャスト送信する探索パケット送信部と、前記探索信号を受信したスキャナ装置が
自動的に
自動的に
【請求項１０】  ユーザ端末装置から探索信号をネットワーク上へブロードキャスト送信し、スキャナ装置で前記探索信号を監視し前記探索信号を受信したならば自己のＩＰアドレスを含む応答信号を
自動的に
自動的に
自動的に
ユーザ端末情報は自己のＩＰアドレスの他にパスワードを含み、スキャナ装置でメモリにＩＰアドレスおよびパスワードを関連付けて格納し、ユーザが前記ＩＰアドレスを呼び出し画情報の送信を指示したとき、パスワードの入力を要求し入力されたパスワードが前記ＩＰアドレスに関連付けられたパスワードと一致したならば前記画情報をユーザ端末装置に送信することを特徴とするスキャナ装置へのユーザ端末情報登録方法。
【請求項１１】  ユーザ端末装置から探索信号をネットワーク上へブロードキャスト送信し、スキャナ装置で前記探索信号を監視し前記探索信号を受信したならば自己のＩＰアドレスを含む応答信号を
自動的に
自動的に
自動的に
探索信号はユーザ端末装置の所属情報を含み、スキャナ装置で前記所属情報を自己の所属情報と比較し両者が一致した場合に応答信号を返すことを特徴とするスキャナ装置へのユーザ端末情報登録方法。
【請求項１２】  ユーザ端末装置から探索信号をネットワーク上へブロードキャスト送信し、スキャナ装置で前記探索信号を監視し前記探索信号を受信したならば自己のＩＰアドレスを含む応答信号を
自動的に
自動的に
自動的に
ユーザ端末情報は、自己のＩＰアドレスの他にユーザ名を含み、スキャナ装置でメモリにＩＰアドレスおよびユーザ名を関連付けて格納し、ユーザが前記ユーザ名を入力したならばこれに関連付けられたＩＰアドレスをメモリから呼び出すことを特徴とするスキャナ装置へのユーザ端末情報登録方法。」
　
訂正事項ｂ：明細書の段落【０００９】及び【０１０８】を以下のとおり訂正する。
「【０００９】
【課題を解決するための手段】
　この課題を解決するために、ユーザ端末装置からネットワーク上にブロードキャストした探索信号をスキャナ装置が受信し、ユーザ端末装置に対して少なくとも自己のＩＰアドレスを含む応答信号を
自動的に
自動的に
自動的に
　そして、ユーザ端末情報は自己のＩＰアドレスの他にパスワードを含み、スキャナ装置はメモリにＩＰアドレスおよびパスワードを関連付けて格納し、ユーザがＩＰアドレスを呼び出し画情報の送信を指示したとき、パスワードの入力を要求し入力されたパスワードがＩＰアドレスに関連付けられたパスワードと一致したならば画情報をユーザ端末装置に送信するようにした。また、探索信号はユーザ端末装置の所属情報を含み、スキャナ装置は所属情報を自己の所属情報と比較し両者が一致した場合に応答信号を返すようにした。また、ユーザ端末情報は、自己のＩＰアドレスの他にユーザ名を含み、スキャナ装置はメモリにＩＰアドレスおよびユーザ名を関連付けて格納し、ユーザがユーザ名を入力したならばこれに関連付けられたＩＰアドレスをメモリから呼び出し、呼び出したＩＰアドレス宛てに送信するようにした。」
「【０１０８】
【発明の効果】
　以上説明したように、本発明によれば、ユーザ端末装置で探索信号をブロードキャストし、それに
自動的に
自動的に
自動的に
　
訂正事項ｃ：明細書の段落番号【００６２】を以下のとおり訂正する。
「【００６２】
　一方、ＰＣ３が起動し（ＳＴ５０３）、ネットワークスキャナコントローラアプリケーション３１の起動を検知し、または、探索開始アクション（ユーザ登録の指示）
を受
　
（２）訂正の目的の適否、新規事項の有無及び拡張・変更の存否
　ア　訂正事項ａの請求項１に関して、請求項１に記載された「前記スキャナ装置は前記探索信号を監視し前記探索信号を受信したならば自己のＩＰアドレスを含む応答信号を返し、前記ユーザ端末装置は前記応答信号を受信したならば前記スキャナ装置のＩＰアドレスに対して少なくとも自己のＩＰアドレスを含むユーザ端末情報を送信し、前記スキャナ装置は前記ユーザ端末情報を受信し前記メモリに格納し」を「前記スキャナ装置は前記探索信号を監視し前記探索信号を受信したならば自己のＩＰアドレスを含む応答信号を
自動的に
自動的に
自動的に
　そして、特許明細書の段落【００１０】の「これにより、ユーザ端末装置のユーザはそのＩＰアドレスを自分で調べることなく、ユーザ端末装置のＩＰアドレス等のユーザ端末情報をスキャナ装置に登録することができる。」という記載及び段落【００６５】の「ユーザ端末情報の自動登録に関するものである」との記載からみて、この訂正は願書に添付した明細書または図面に記載した事項の範囲内でなされたものであり、また、実質上特許請求の範囲を拡張し又は変更するものではない。
　請求項２〜１２についても、同様である。
　
　イ　訂正事項ｂは、訂正事項ａにおいて訂正された記載との整合をとるために発明の詳細な説明の記載を訂正するものであり、明瞭でない記載の釈明を目的とするものである。そして、訂正事項ｂは、願書に添付した明細書又は図面に記載した事項の範囲内においてされたものであり、また、実質上特許請求の範囲を拡張し、又は変更するものではない。
　
　ウ　訂正事項ｃは、特許明細書の段落【００６２】における「探索開始アクション（ユーザ登録の指示）
をから
を
　
（３）結論
　以上のとおりであるから、上記訂正は、特許法第１２０条の４第２項及び同条第３項において準用する特許法第１２６条第２項から第４項までの規定に適合するので、当該訂正を認める。
　
３．特許異議の申立てについて
（１）申立ての理由の概要
　特許異議申立人正木　淳子は、以下の甲第１〜４号証により、特許第３４５０８３０号の請求項１〜１２に係る発明は、特許法第２９条第１項または第２項の規定に違反してなされたものであるから、これらの発明についての特許を取り消すべき旨主張している。
　甲第１号証：　特開２００１−０２８６５５号公報
　甲第２号証：　特開２０００−２４４６９４号公報
　甲第３号証：　特開平０９−２０４５１５号公報
　甲第４号証：　特開平１１−３４１０６５号公報
　
（２）請求項１〜１２に係る発明
　前記２．のとおり訂正請求は認められるから、本件請求項１〜１２に係る発明（以下、本件発明１〜１２という。）は、訂正明細書の特許請求の範囲の請求項１〜１２に記載された事項により特定されるとおりのものである。（上記、２．（１）参照。）　
　
（３）引用例
　これに対して本件出願前に頒布された刊行物１〜４には以下の発明が記載されている。
　
刊行物１：特開２０００−０２８６５５号公報（異議申立人提出の甲第１号証）
　ネットワーク上に、クライアントＰＣと、複数または単数の原稿読取装置と、を接続し、前記原稿読取装置により得た画像データを前記クライアントＰＣに送信する画像配信システムにおいて、
前記クライアントＰＣは、ブロードキャストによりグルーピングされているネットワーク上の全ての原稿読取装置に対し装置情報の要求を送出し、ブロードキャストメッセージを受け取った原稿読取装置は、自機の装置情報をクライアントＰＣに対して返信し、クライアントＰＣは前記ネットワーク上の前記原稿読取装置を選択可能に表示し、選択された前記原稿読取装置へ宛先名称とネットワークアドレスを含む送信先情報を送信して送信先情報を設定し、前記原稿読取装置は、送信された送信先情報を内部保持し、当該送信先情報に基づいて前記クライアントＰＣに画像データを送信することを特徴とする画像配信システム。
　
刊行物２：特開２０００−２４４６９４号公報（異議申立人提出の甲第２号証）
　画像データを入力するデータ入力手段と、
前記画像データを出力するデータ出力手段と、
各部の動作指示を行う操作手段と、
ネットワークを介して情報の送受を行うネットワーク制御手段と、
ユーザに対して一意なユーザ識別情報を発行する識別発行手段と、
前記ユーザ識別情報に対応したユーザ領域を有する記憶手段と、
前記操作手段又は前記ネットワーク制御手段から、パスワード、メールアドレス、転送先アドレスを入力する手段と、
前記ユーザ識別情報に対応したユーザ領域内に、前記パスワード、前記メールアドレス、前記転送先アドレス、前記画像データを記憶する手段と、
前記ユーザ識別情報と前記パスワードとによってユーザの正当性を判定し、正当なユーザのみに前記ユーザ領域内における前記画像データの処理を許可する手段と、
を具えたことを特徴とする画像処理装置。
　
刊行物３：特開平０９−２０４５１５号公報（異議申立人提出の甲第３号証）
　ネットワークに接続されたネットワークスキャナ装置であって、クライアント端末からネットワークスキャナ装置に対して、端末名とともに読み取り解像度等のスキャン条件情報を事前に送り、ネットワークスキャナ装置にてパスワードを入力した上で上記スキャン条件情報を操作パネルのメニューから選択し、読み取り動作を行い、自動的に上記クライアント端末に対してスキャンデータを送ることを特徴とするネットワークスキャナ装置。
　
刊行物４：特開平１１−３４１０６５号公報（異議申立人提出の甲第４号証）
　ネットワークに接続された複数の機器間で通信を行うネットワーク通信の機器設定システムであって、
前記各機器は、
自らの機器属性と通信処理のための処理データとを記憶する記憶手段、
ユーザから発行されたコマンドの実行に必要な通信相手の機器属性を判定する判定手段、
前記ネットワークに含まれる他の機器に対して、前記判定手段によって判定された機器属性と一致するか否かを問い合わせる問い合わせ手段、
問い合わせられた機器属性と一致すれば自らの機器属性と処理データとを問い合わせ側の機器へ送信する応答手段、
他の機器からの応答結果に基づいて通信可能な機器を出力する出力手段、
前記出力手段から出力された通信可能な機器から所望の機器を選択してコマンド実行を許可する実行許可手段、および前記実行許可手段によって選択された機器の処理データに従って通信処理を行う通信処理手段を備える、ネットワーク通信の機器設定システム。
　
（４）本件発明１について
　本件発明１と上記刊行物１〜４記載の発明とを対比すると、本件発明１の「ユーザ端末装置は前記応答信号を受信したならば前記スキャナ装置のＩＰアドレスに対して少なくとも自己のＩＰアドレスを含むユーザ端末情報を自動的に送信」するという発明特定事項は、いずれの刊行物にも記載されていない。
　
　この点に関し、申立人は「甲第１号証の図３および甲第１号証段落００２４に記載されるように、装置情報をスキャナ装置から受信したクライアントＰＣは、画情報の宛先名称と転送先のネットワークアドレスをクライアントＰＣ上の操作画面で設定し、スキャナ装置に対して宛先名称とネットワークアドレスを送信する。この甲第１号証の宛先名称およびネットワークアドレスは本件特許発明のユーザ端末情報に対応し、したがって、この構成は本件構成要件ｄに相当する」（特許異議申立書１４頁２４行〜１５頁５行）と主張している。しかしながら、同主張中にもあるように、刊行物１記載の発明は宛先名称とネットワークアドレスを送信する前に、ユーザによる宛先名称と転送先のネットワークアドレスの設定操作が必要であり、本件発明１のように「ユーザ端末情報を自動的に送信」することは不可能である。そもそも刊行物１記載の発明は「ユーザによる送信先アドレスの変更及び登録にかかる操作性を向上させる」（２頁２欄１７〜１９行）ことを目的とするものであり、ユーザによる送信先の変更登録操作が前提となっているのであるから、ユーザ端末情報を自動的に送信することにより「ユーザがユーザ端末装置及びスキャナ装置のＩＰアドレスを調べることなく、ユーザがＩＴ（情報技術）に関する知識が乏しくてもスキャナ装置にユーザ端末情報の登録を簡単に且つ確実に行うことができる」本件発明１とは、その前提からして異なるものである。
　また、申立人は「甲第２号証では、イメージスキャナを含むイメージサーバとネットワーク端末から成る画像処理システムにおいて、ネットワーク端末からユーザ登録を行い、これによりネットワーク端末とイメージサーバの通信を介してユーザＩＤ、パスワード、メールアドレス、転送先アドレスのようなユーザ情報がイメージサーバのファイルシステム中に登録される。このネットワーク端末からイメージサーバへのユーザ情報の送信、及び送信されたユーザ情報の登録処理は本件構成要件ｄおよび本件構成要件ｅに相当するものである。」（特許異議申立書１８頁６〜１２行）とも主張している。しかしながら、刊行物２記載の発明もユーザによる入力操作を前提とするもの（１０頁１８欄２２行〜１１頁１９欄９行）であるから、「自動的に送信」することは不可能であるし、そもそも「応答信号を受信したならば」、「自己のＩＰアドレスを含むユーザ端末情報」を送信するものではない。
　
　したがって、本件発明１は、刊行物１〜４記載の発明に基づいて当業者が容易に発明できたものとすることはできないし、ましてや各刊行物に記載された発明であると認めることもできない。
　
（５）本件発明２〜１２について
　本件発明２〜１２はいずれも、上記（４）であげた発明特定事項と同義の発明特定事項を含むものであるから、上記（４）と同様である。
　
（６）結論
　以上のとおりであるから、特許異議の申立ての理由及び証拠によっては本件発明１〜１２についての特許を取り消すことはできない。
　また、他に本件発明１〜１２についての特許を取り消すべき理由を発見しない。
　よって、結論のとおり決定する。
【異議決定日】
平成１６年８月２３日（２００４．８．２３）
【訂正の要旨】
審決（決定）の【理由】欄参照。
（５４）【発明の名称】
画情報送信システム、スキャナ装置およびユーザ端末装置、並びにスキャナ装置へのユーザ端末情報登録方法
（５７）【特許請求の範囲】
　【請求項１】　ネットワークに接続された１または２以上のスキャナ装置および１または２以上のユーザ端末装置で構成され、前記スキャナ装置で原稿から読み取った画情報を、前記スキャナ装置のメモリからユーザが呼び出したＩＰアドレスが割り当てられた前記ユーザ端末装置に直接送信する画情報送信システムにおいて、
　前記ユーザ端末装置は探索信号を前記ネットワーク上へブロードキャスト送信し、前記スキャナ装置は前記探索信号を監視し前記探索信号を受信したならば自己のＩＰアドレスを含む応答信号を
自動的に
自動的に
自動的に
　前記ユーザ端末情報は自己のＩＰアドレスの他にパスワードを含み、スキャナ装置はメモリに前記ＩＰアドレスおよび前記パスワードを関連付けて格納し、ユーザが前記ＩＰアドレスを呼び出し画情報の送信を指示したとき、パスワードの入力を要求し入力されたパスワードが前記ＩＰアドレスに関連付けられたパスワードと一致したならば前記画情報をユーザ端末装置に送信することを特徴とする画情報送信システム。
　【請求項２】　ネットワークに接続された１または２以上のスキャナ装置および１または２以上のユーザ端末装置で構成され、前記スキャナ装置で原稿から読み取った画情報を、前記スキャナ装置のメモリからユーザが呼び出したＩＰアドレスが割り当てられた前記ユーザ端末装置に直接送信する画情報送信システムにおいて、
　前記ユーザ端末装置は探索信号を前記ネットワーク上へブロードキャスト送信し、前記スキャナ装置は前記探索信号を監視し前記探索信号を受信したならば自己のＩＰアドレスを含む応答信号を
自動的に
自動的に
自動的に
　前記探索信号はユーザ端末装置の所属情報を含み、スキャナ装置は前記所属情報を自己の所属情報と比較し両者が一致した場合に応答信号を返すことを特徴とする画情報送信システム。
　【請求項３】　ネットワークに接続された１または２以上のスキャナ装置および１または２以上のユーザ端末装置で構成され、前記スキャナ装置で原稿から読み取った画情報を、前記スキャナ装置のメモリからユーザが呼び出したＩＰアドレスが割り当てられた前記ユーザ端末装置に直接送信する画情報送信システムにおいて、
　前記ユーザ端末装置は探索信号を前記ネットワーク上へブロードキャスト送信し、前記スキャナ装置は前記探索信号を監視し前記探索信号を受信したならば自己のＩＰアドレスを含む応答信号を
自動的に
自動的に
自動的に
　前記ユーザ端末情報は、自己のＩＰアドレスの他にユーザ名を含み、スキャナ装置はメモリに前記ＩＰアドレスおよび前記ユーザ名を関連付けて格納し、ユーザが前記ユーザ名を入力したならばこれに関連付けられたＩＰアドレスを前記メモリから呼び出し、呼び出したＩＰアドレス宛てに前記スキャナ装置で読み取ったデータを送信することを特徴とする画情報送信システム。
　【請求項４】　原稿を読み取り画情報を得るスキャナ部と、ネットワークを介して接続された１または２以上のユーザ端末装置に割り当てられたＩＰアドレスとパスワードとを関連付けて格納するメモリと、前記メモリからユーザが呼び出したＩＰアドレスが割り当てられた前記ユーザ端末装置に対して前記画情報を直接送信する画情報送信部と、を具備するスキャナ装置であって、
　前記ユーザ端末装置から前記ネットワーク上へブロードキャスト送信された探索信号を受信する探索パケット受信部と、前記探索信号を受信したならば自己のＩＰアドレスを含む応答信号を
自動的に
自動的に
自動的に
　ユーザが前記ＩＰアドレスを呼び出し画情報の送信を指示したとき、前記パスワードの入力を要求する要求手段と、入力されたパスワードが前記ＩＰアドレスに関連付けられたパスワードと一致したならば前記画情報をユーザ端末装置に送信するファイル送信部とを備えることを特徴とするスキャナ装置。
　【請求項５】　原稿を読み取り画情報を得るスキャナ部と、ネットワークを介して接続された１または２以上のユーザ端末装置に割り当てられたＩＰアドレスを格納するメモリと、前記メモリからユーザが呼び出したＩＰアドレスが割り当てられた前記ユーザ端末装置に対して前記画情報を直接送信する画情報送信部と、を具備するスキャナ装置であって、
　前記ユーザ端末装置から前記ネットワーク上へブロードキャスト送信された、前記ユーザ端末装置の所属情報を含む探索信号を受信する探索パケット受信部と、前記探索信号を受信し、この探索信号に含まれる所属情報が自己の所属情報と比較し両者が一致した場合に、自己のＩＰアドレスを含む応答信号を
自動的に
自動的に
自動的に
　【請求項６】　原稿を読み取り画情報を得るスキャナ部と、ネットワークを介して接続された１または２以上のユーザ端末装置に割り当てられたＩＰアドレスとユーザ名とを関連付けて格納するメモリと、前記メモリからユーザが呼び出したＩＰアドレスが割り当てられた前記ユーザ端末装置に対して前記画情報を直接送信する画情報送信部と、を具備するスキャナ装置であって、
　前記ユーザ端末装置から前記ネットワーク上へブロードキャスト送信された探索信号を受信する探索パケット受信部と、前記探索信号を受信したならば自己のＩＰアドレスを含む応答信号を
自動的に
自動的に
自動的に
　ユーザにより前記ユーザ名を入力する操作パネル部と、この操作パネル部からユーザ名が入力されると、これに関連付けられたＩＰアドレスを前記メモリから呼び出し、呼び出されたＩＰアドレス宛てに読み取ったデータを送信するファイル送信部を備えるスキャナ装置。
　【請求項７】　ネットワークを介して接続された１または２以上のスキャナ装置から送信された画情報を受信する画情報受信部と、前記画情報を蓄積する画情報蓄積部とを具備するユーザ端末装置であって、
　探索信号を前記ネットワーク上へブロードキャスト送信する探索パケット送信部と、前記探索信号を受信したスキャナ装置が
自動的に
自動的に
　【請求項８】　ネットワークを介して接続された１または２以上のスキャナ装置から送信された画情報を受信する画情報受信部と、前記画情報を蓄積する画情報蓄積部とを具備するユーザ端末装置であって、
　自己の所属情報を含む探索信号を前記ネットワーク上へブロードキャスト送信する探索パケット送信部と、前記探索信号を受信したスキャナ装置が
自動的に
自動的に
　【請求項９】　ネットワークを介して接続された１または２以上のスキャナ装置から送信された画情報を受信する画情報受信部と、前記画情報を蓄積する画情報蓄積部とを具備するユーザ端末装置であって、
　探索信号を前記ネットワーク上へブロードキャスト送信する探索パケット送信部と、前記探索信号を受信したスキャナ装置が
自動的に
自動的に
　【請求項１０】　ユーザ端末装置から探索信号をネットワーク上へブロードキャスト送信し、スキャナ装置で前記探索信号を監視し前記探索信号を受信したならば自己のＩＰアドレスを含む応答信号を
自動的に
自動的に
自動的に
　ユーザ端末情報は自己のＩＰアドレスの他にパスワードを含み、スキャナ装置でメモリにＩＰアドレスおよびパスワードを関連付けて格納し、ユーザが前記ＩＰアドレスを呼び出し画情報の送信を指示したとき、パスワードの入力を要求し入力されたパスワードが前記ＩＰアドレスに関連付けられたパスワードと一致したならば前記画情報をユーザ端末装置に送信することを特徴とするスキャナ装置へのユーザ端末情報登録方法。
　【請求項１１】　ユーザ端末装置から探索信号をネットワーク上へブロードキャスト送信し、スキャナ装置で前記探索信号を監視し前記探索信号を受信したならば自己のＩＰアドレスを含む応答信号を
自動的に
自動的に
自動的に
　探索信号はユーザ端末装置の所属情報を含み、スキャナ装置で前記所属情報を自己の所属情報と比較し両者が一致した場合に応答信号を返すことを特徴とするスキャナ装置へのユーザ端末情報登録方法。
　【請求項１２】　ユーザ端末装置から探索信号をネットワーク上へブロードキャスト送信し、スキャナ装置で前記探索信号を監視し前記探索信号を受信したならば自己のＩＰアドレスを含む応答信号を
自動的に
自動的に
自動的に
　ユーザ端末情報は、自己のＩＰアドレスの他にユーザ名を含み、スキャナ装置でメモリにＩＰアドレスおよびユーザ名を関連付けて格納し、ユーザが前記ユーザ名を入力したならばこれに関連付けられたＩＰアドレスをメモリから呼び出すことを特徴とするスキャナ装置へのユーザ端末情報登録方法。
【発明の詳細な説明】
　【０００１】
　【発明の属する技術分野】
　本発明は、画情報送信システム、スキャナ装置およびユーザ端末装置、並びにスキャナ装置へのユーザ端末情報登録方法に関する。
　【０００２】
　【従来の技術】
　従来のネットワークスキャナの中に、パーソナルコンピュータ（ＰＣ）との通信にＳＭＴＰ（Ｓｉｍｐｌｅ　Ｍａｉｌ　Ｔｒａｎｓｆｅｒ　Ｐｒｏｔｏｃｏｌ）のような電子メール転送プロトコルを利用しているものがある。この場合、ネットワークスキャナで読み取った画情報を例えばＴＩＦＦファイル等にファイル化し、電子メールメッセージに添付している。
　【０００３】
　ＳＭＴＰを用いてＰＣに電子メールメッセージを送信するには、ＰＣに直接送信するルートと、メールサーバを経由するルートの２つのルートがある。アナログ情報である紙原稿をディジタル画像データに変換し、ＰＣに蓄積し、利用するイメージスキャナとしては、リアルタイム性が求められるので、前者が好ましい。
　【０００４】
　【発明が解決しようとする課題】
　しかしながら、ＳＭＴＰでＰＣに直接電子メールメッセージを送信するためには、ＰＣのＩＰアドレスを使用する必要があるので、ユーザが自分のＰＣのＩＰアドレスを調べる必要がある。しかし、自分で調べるにはネットワークやＰＣについてある程度の知識が要求され、また、煩雑な操作を強いられる。
　【０００５】
　また、ネットワークスキャナに画情報の送信先となるＰＣ等のＩＰアドレスを登録し、送信時（スキャン時）に登録内容から任意のＰＣのＩＰアドレスを呼び出すことにより、アドレス入力の手間を軽減することが考えられる。しかし、少なくとも１度はユーザがＰＣのＩＰアドレスを調べ、手入力する必要がある。
　【０００６】
　また、近年、ＩＰアドレスの有効活用等の観点からネットワーク端末に自動的にＩＰアドレスを割り当てるＤＨＣＰサーバが用いられるようになっている。ＤＨＣＰサーバ管理下のネットワークでは起動のたびにＰＣに割り当てられるＩＰアドレスが異なっている。従って、ユーザはネットワークスキャナを使う度に、自己のＩＰアドレスを調べる必要が生じる。また、ネットワークスキャナの登録内容を変更する必要も生じる。
　【０００７】
　ＳＭＴＰ以外にもネットワークスキャナからＰＣに画情報を直接送信するプロトコルを用いることができるが、その場合にも上記と同様に問題が発生する。
　【０００８】
　本発明は、かかる点に鑑みてなされたものであり、ユーザ端末装置のＩＰアドレスなどのユーザ端末情報を容易に登録できる画情報送信システム、スキャナ装置およびユーザ端末装置、並びにスキャナ装置へのユーザ端末情報登録方法を提供することを目的とする。
　【０００９】
　【課題を解決するための手段】
　この課題を解決するために、ユーザ端末装置からネットワーク上にブロードキャストした探索信号をスキャナ装置が受信し、ユーザ端末装置に対して少なくとも自己のＩＰアドレスを含む応答信号を
自動的に
自動的に
自動的に
　そして、ユーザ端末情報は自己のＩＰアドレスの他にパスワードを含み、スキャナ装置はメモリにＩＰアドレスおよびパスワードを関連付けて格納し、ユーザがＩＰアドレスを呼び出し画情報の送信を指示したとき、パスワードの入力を要求し入力されたパスワードがＩＰアドレスに関連付けられたパスワードと一致したならば画情報をユーザ端末装置に送信するようにした。
　また、探索信号はユーザ端末装置の所属情報を含み、スキャナ装置は所属情報を自己の所属情報と比較し両者が一致した場合に応答信号を返すようにした。また、ユーザ端末情報は、自己のＩＰアドレスの他にユーザ名を含み、スキャナ装置はメモリにＩＰアドレスおよびユーザ名を関連付けて格納し、ユーザがユーザ名を入力したならばこれに関連付けられたＩＰアドレスをメモリから呼び出し、呼び出したＩＰアドレス宛てに送信するようにした。
　【００１０】
　これにより、ユーザ端末装置のユーザはそのＩＰアドレスを自分で調べることなく、ユーザ端末装置のＩＰアドレス等のユーザ端末情報をスキャナ装置に登録することができる。
　【００１１】
　【発明の実施の形態】
　本発明は、上記課題を解決するために、ネットワークに接続された１または２以上のスキャナ装置および１または２以上のユーザ端末装置で構成され、前記スキャナ装置で原稿から読み取った画情報を、前記スキャナ装置のメモリからユーザが呼び出したＩＰアドレスが割り当てられた前記ユーザ端末装置に直接送信する画情報送信システムにおいて、前記ユーザ端末装置は探索信号を前記ネットワーク上へブロードキャスト送信し、前記スキャナ装置は前記探索信号を監視し前記探索信号を受信したならば自己のＩＰアドレスを含む応答信号を返し、前記ユーザ端末装置は前記応答信号を受信したならば前記スキャナ装置のＩＰアドレスに対して少なくとも自己のＩＰアドレスを含むユーザ端末情報を送信し、前記スキャナ装置は前記ユーザ端末情報を受信し前記メモリに格納することを特徴とする画情報送信システムを提供する。
　【００１２】
　この構成により、ユーザがユーザ端末装置およびスキャナ装置のＩＰアドレスを調べることなくユーザがコンピュータやネットワークに関する知識が乏しくてもスキャナ装置にユーザ端末情報の登録を簡単に且つ確実に行うことができる。登録終了後は、スキャナ装置のメモリからＩＰアドレスを呼び出し、原稿の読み取りを指示すれば、このＩＰアドレスが割り当てられたユーザ端末装置へ画情報を送信し、蓄積することができるので、原稿読取の際にＩＰアドレスを入力する手間を省くことができる。
　【００１３】
　本発明において、ユーザ端末情報は自己のＩＰアドレスの他にパスワードを含み、スキャナ装置はメモリに前記ＩＰアドレスおよび前記パスワードを関連付けて格納し、ユーザが前記ＩＰアドレスを呼び出し画情報の送信を指示したとき、パスワードの入力を要求し入力されたパスワードが前記ＩＰアドレスに関連付けられたパスワードと一致したならば前記画情報をユーザ端末装置に送信するようにしても良い。
　【００１４】
　この構成により、画情報の送信に先だってパスワードの照合を行い、パスワードが一致したときにのみ画情報の送信を許可しているので、画情報をユーザ端末装置へ勝手に送信されるのを禁止することができる。
　【００１５】
　また、本発明において、探索信号はユーザ端末装置の所属情報を含み、スキャナ装置は前記所属情報を自己の所属情報と比較し両者が一致した場合に応答信号を返すようにしても良い。
　【００１６】
　この構成により、例えば１つのネットワークにスキャナ装置を複数配置し、これらをユーザ端末装置の所属に応じて使い分けすることができると共に、ユーザ情報登録の際にユーザがこの使い分けを意識する必要もない。
　【００１７】
　また、本発明において、ユーザ端末情報は、自己のＩＰアドレスの他にユーザ名を含み、スキャナ装置はメモリに前記ＩＰアドレスおよび前記ユーザ名を関連付けて格納し、ユーザが前記ユーザ名を入力したならばこれに関連付けられたＩＰアドレスを前記メモリから呼び出すようにしても良い。
　【００１８】
　この構成により、メモリにＩＰアドレスおよびユーザ名を関連付けて格納しているので、原稿読取の際に識別し難いＩＰアドレスに代えてユーザ名によりユーザがメモリからＩＰアドレスを呼び出すことができ、操作をより簡単に行うことができる。
　【００１９】
　また、本発明は、上記課題を解決するために、原稿を読み取り画情報を得るスキャナ部と、ネットワークを介して接続された１または２以上のユーザ端末装置に割り当てられたＩＰアドレスを格納するメモリと、前記メモリからユーザが呼び出したＩＰアドレスが割り当てられた前記ユーザ端末装置に対して前記画情報を直接送信する画情報送信部と、を具備するスキャナ装置であって、前記ユーザ端末装置から前記ネットワーク上へブロードキャスト送信された探索信号を監視し、前記探索信号を受信したならば自己のＩＰアドレスを含む応答信号を返し、前記ユーザ端末装置から自己のＩＰアドレスに対して送信された、少なくとも前記ユーザ端末装置のＩＰアドレスを含むユーザ端末情報を受信し前記メモリに格納することを特徴とするスキャナ装置を提供する。
　【００２０】
　この構成により、ユーザがユーザ端末装置およびスキャナ装置のＩＰアドレスを調べることなくユーザがコンピュータやネットワークに関する知識が乏しくてもスキャナ装置にユーザ端末情報の登録を簡単に且つ確実に行うことができる。登録終了後は、スキャナ装置のメモリからユーザ端末装置のＩＰアドレスを呼び出し、原稿の読み取りを指示すれば、このＩＰアドレスが割り当てられたユーザ端末装置へ画情報を送信し、蓄積することができるので、原稿読取の際にＩＰアドレスを入力する手間を省くことができる。
　【００２１】
　本発明において、ユーザ端末情報はユーザ端末装置のＩＰアドレスの他にパスワードを含み、メモリに前記ＩＰアドレスおよび前記パスワードを関連付けて格納し、ユーザが前記ＩＰアドレスを呼び出し画情報の送信を指示したとき、パスワードの入力を要求し入力されたパスワードが前記ＩＰアドレスに関連付けられたパスワードと一致したならば前記画情報をユーザ端末装置に送信しても良い。
　【００２２】
　この構成により、画情報の送信に先だってパスワードの照合を行い、パスワードが一致したときにのみ画情報の送信を許可しているので、画情報をユーザ端末装置へ勝手に送信されるのを禁止することができる。
　【００２３】
　本発明において、探索信号はユーザ端末装置の所属情報を含み、前記所属情報を自己の所属情報と比較し両者が一致した場合に応答信号を返すようにしても良い。
　【００２４】
　この構成により、例えば１つのネットワークにスキャナ装置を複数配置し、これらをユーザ端末装置の所属に応じて使い分けすることができると共に、ユーザ情報登録の際にユーザがこの使い分けを意識する必要もない。
　【００２５】
　本発明において、ユーザ端末情報は、ユーザ端末装置のＩＰアドレスの他にユーザ名を含み、メモリに前記ＩＰアドレスおよび前記ユーザ名を関連付けて格納し、ユーザが前記ユーザ名を入力したならばこれに関連付けられたＩＰアドレスを前記メモリから呼び出すようにしても良い。
　【００２６】
　この構成により、メモリにユーザ端末装置のＩＰアドレスおよびユーザ名を関連付けて格納しているので、原稿読取の際に識別し難いＩＰアドレスに代えてユーザ名によりユーザがメモリからＩＰアドレスを呼び出すことができ、操作をより簡単に行うことができる。
　【００２７】
　また、本発明は、上記課題を解決するために、ネットワークを介して接続された１または２以上のスキャナ装置から送信された画情報を受信する画情報受信部と、前記画情報を蓄積する画情報蓄積部とを具備するユーザ端末装置であって、探索信号を前記ネットワーク上へブロードキャスト送信し、前記探索信号を受信したスキャナ装置が返した前記スキャナ装置のＩＰアドレスを含む応答信号を受信したならばそのＩＰアドレスに対して少なくとも自己のＩＰアドレスを含むユーザ端末情報を送信することを特徴とするユーザ端末装置を提供する。
　【００２８】
　この構成により、ユーザがユーザ端末装置およびスキャナ装置のＩＰアドレスを調べることなくユーザがコンピュータやネットワークに関する知識が乏しくてもスキャナ装置にユーザ端末情報の登録を簡単に且つ確実に行うことができる。登録終了後は、スキャナ装置のメモリからＩＰアドレスを呼び出し、原稿の読み取りを指示すれば、このＩＰアドレスが割り当てられたユーザ端末装置へ画情報を送信し、蓄積することができるので、原稿読取の際にＩＰアドレスを入力する手間を省くことができる。
　【００２９】
　本発明において、ユーザ端末情報に自己のＩＰアドレスの他にパスワードを含めて送信するようにしても良い。
　【００３０】
　この構成により、画情報の送信に先だってパスワードの照合を行い、パスワードが一致したときにのみ画情報の送信を許可しているので、画情報をユーザ端末装置へ勝手に送信されるのを禁止することができる。
　【００３１】
　本発明において、探索信号に自己の所属情報を含めて送信するようにしても良い。
　【００３２】
　この構成により、例えば１つのネットワークにスキャナ装置を複数配置し、これらをユーザ端末装置の所属に応じて使い分けすることができると共に、ユーザ情報登録の際にユーザがこの使い分けを意識する必要もない。
　【００３３】
　本発明は、ユーザ端末情報に自己のＩＰアドレスの他にユーザ名を含めて送信するようにしても良い。
　【００３４】
　この構成により、メモリにＩＰアドレスおよびユーザ名を関連付けて格納しているので、原稿読取の際に識別し難いＩＰアドレスに代えてユーザ名によりユーザがメモリからＩＰアドレスを呼び出すことができ、操作をより簡単に行うことができる。
　【００３５】
　さらに、本発明は、上記課題を解決するために、ユーザ端末装置から探索信号をネットワーク上へブロードキャスト送信し、スキャナ装置で前記探索信号を監視し前記探索信号を受信したならば自己のＩＰアドレスを含む応答信号を返し、前記ユーザ端末装置で前記応答信号を受信したならば前記スキャナ装置のＩＰアドレスに対して少なくとも自己のＩＰアドレスを含むユーザ端末情報を送信し、前記スキャナ装置で前記ユーザ端末情報を受信し前記メモリに格納することを特徴とするスキャナ装置へのユーザ端末情報登録方法を提供する。
　【００３６】
　この方法により、ユーザがユーザ端末装置およびスキャナ装置のＩＰアドレスを調べることなくユーザがコンピュータやネットワークに関する知識が乏しくてもスキャナ装置にユーザ端末情報の登録を簡単に且つ確実に行うことができる。登録終了後は、スキャナ装置のメモリからＩＰアドレスを呼び出し、原稿の読み取りを指示すれば、このＩＰアドレスが割り当てられたユーザ端末装置へ画情報を送信し、蓄積することができるので、原稿読取の際にＩＰアドレスを入力する手間を省くことができる。
　【００３７】
　本発明において、ユーザ端末情報は自己のＩＰアドレスの他にパスワードを含み、スキャナ装置でメモリに前記ＩＰアドレスおよび前記パスワードを関連付けて格納し、ユーザが前記ＩＰアドレスを呼び出し画情報の送信を指示したとき、パスワードの入力を要求し入力されたパスワードが前記ＩＰアドレスに関連付けられたパスワードと一致したならば前記画情報をユーザ端末装置に送信しても良い。
　【００３８】
　この方法により、画情報の送信に先だってパスワードの照合を行い、パスワードが一致したときにのみ画情報の送信を許可しているので、画情報をユーザ端末装置へ勝手に送信されるのを禁止することができる。
　【００３９】
　本発明において、探索信号はユーザ端末装置の所属情報を含み、スキャナ装置で前記所属情報を自己の所属情報と比較し両者が一致した場合に応答信号を返しても良い。
　【００４０】
　この方法により、例えば１つのネットワークにスキャナ装置を複数配置し、これらをユーザ端末装置の所属に応じて使い分けすることができると共に、ユーザ情報登録の際にユーザがこの使い分けを意識する必要もない。
　【００４１】
　本発明において、ユーザ端末情報は、自己のＩＰアドレスの他にユーザ名を含み、スキャナ装置でメモリに前記ＩＰアドレスおよび前記ユーザ名を関連付けて格納し、ユーザが前記ユーザ名を入力したならばこれに関連付けられたＩＰアドレスを前記メモリから呼び出しても良い。
　【００４２】
　この方法により、メモリにＩＰアドレスおよびユーザ名を関連付けて格納しているので、原稿読取の際に識別し難いＩＰアドレスに代えてユーザ名によりユーザがメモリからＩＰアドレスを呼び出すことができ、操作をより簡単に行うことができる。
　【００４３】
　以下、本発明の実施の形態について、図面を参照して詳細に説明する。
　図１は、本発明の実施の形態に係るネットワークスキャナが動作するネットワークシステムを示す概略図である。
　ＬＡＮなどのネットワーク１には、複数のネットワークスキャナ２およびこれらを利用するユーザの端末である複数のＰＣ３が接続されている。
　【００４４】
　図２は、上記実施の形態に係るネットワークスキャナの機能を示すブロック図である。
　ネットワークスキャナ２において、スキャナ部１１は、原稿をスキャンして画信号を得るスキャナ部１１である。画像ファイル生成部１２は、スキャナ部１１が出力する画信号から画像ファイルを生成する。画像ファイルのデータ形式は、例えば、ＴＩＦＦ、ＧＩＦ、ＪＰＥＧなどであり得るが、この例ではＴＩＦＦである。ファイル管理部１３は、この画像ファイル１４をストレージ部１５に格納する。
　【００４５】
　ネットワーク通信部１６は、ネットワーク接続インターフェイス回路（図示せず）によりネットワーク１に接続し、これを介してＰＣ３と通信を行う。このネットワーク通信部１６において、Ｌｐｄ送信部１７は、後述のＰＣ３のＬｐｄ受信部３３との間でＬｐｒ／Ｌｐｄプロトコルを実行する。ファイル送信部１８は、このＬｐｒ／Ｌｐｄプロトコルの手順上でファイル管理部１３が画像ファイル１４をＰＣ３へ転送する処理を実行する。
　【００４６】
　さらにネットワーク通信部１６において、探索パケット受信部１９は、後述のＰＣ３が送信する探索パケットを受信する。探索応答パケット送信部２０は、探索パケット受信部１９が受信した探索パケットに対する応答である探索応答パケットをＰＣ３へ送信する。
　【００４７】
　また、登録パケット受信部２１は、後述のＰＣ３が送信する登録パケットを受信する。一方、登録応答パケット送信部２２は、登録パケットに対する応答として、登録応答パケットをＰＣ３へ送信する。
　上述のネットワーク通信部１６の各部の機能は、この例ではＣＰＵが実行するソフトウエアにより実現さているが、限定されるものではない。
　【００４８】
　アドレス帳管理部２３は、後述のユーザ端末情報を登録したアドレス帳データ２４を管理する。操作パネル部２５は、送信先のＩＰアドレスをアドレス帳データ２４から読み出したり、未登録の場合ＩＰアドレスを手入力するために用いられる。
　【００４９】
　図３は、上記実施の形態に係るパーソナルコンピュータの機能を示すブロック図である。
　ＰＣ３は、ネットワークスキャナ２を用いた画像読取処理を制御するネットワークスキャナコントローラアプリケーション３１を実行する。このネットワークスキャナコントローラアプリケーション３１において、ネットワーク通信部３２は、ネットワークスキャナ２との間で通信を行う。このネットワーク通信部３２中、Ｌｐｄ受信部３３は、上述のネットワークスキャナ２のＬｐｄ送信部１７との間でＬｐｒ／Ｌｐｄプロトコルを実行する。ファイル受信部３４は、このＬｐｒ／Ｌｐｄプロトコルの手順上でネットワークスキャナ２から画像ファイルを受信する処理を実行する。
　【００５０】
　さらにネットワーク通信部３２において、探索パケット送信部３５は、ネットワーク１上に探索パケットを送出する。探索応答パケット受信部３６は、この探索パケットに対して応答された探索応答パケットを受信する。
　【００５１】
　画像ファイル保存処理部３９は、ファイル受信部３４が受信した画像ファイル１４をストレージ部１５に保存する。ファイル管理部１３はストレージ部１５に保存された画像ファイルを管理する。
　【００５２】
　また、登録パケット送信部３７は、ユーザ端末情報管理部４０が管理するユーザ端末情報４１から登録パケットを生成し、ネットワークスキャナ２へ送信する。登録応答パケット受信部３８は、登録パケットに対して応答された登録対応パケットを受信する。
　【００５３】
　外部アプリケーション管理部４２は、ＰＣ３で実行される外部アプリケーション４３を管理する。この外部アプリケーション４３は、例えば、ＴＩＦＦビュアーやＡｄｏｂｅ　ｐｈｏｔｏｓｈｏｐ（アドビ社登録商標）などの画像ビューア、画像編集アプリケーションである。
　【００５４】
　このような機能を備えたネットワークスキャナコントローラアプリケーション３１に代わって、同等の機能を備えた回路であっても良い。
　【００５５】
　ネットワークスキャナ２とＰＣ３との通信に利用しているＬｐｒ／Ｌｐｄプロトコルは、ＵＮＩＸをＯＳとして採用しているホスト間で印刷データを送受信するために用いられている通信プロトコルである。このＬｐｒ／Ｌｐｄプロトコルでは、プリントサービスを受けたいホストは、あるホスト上で実行されているラインプリタデーモン（Ｌｐｄ）に対して要求を出す。要求を受けたデーモンはそれをジョブとして受け付け、キューに入れて処理する。
　【００５６】
　図４は、上記実施の形態に係るネットワークスキャナおよびパーソナルコンピュータ間での画像ファイル転送を示すシーケンス図である。
　図４に示すように、送信側のネットワークスキャナ２が、ジョブの受信を指示するコマンド“Ｒｅｃｅｉｖｅ　Ｊｏｂ”を送信する（ＳＴ４０１）。これに対してＰＣ３がＡＣＫを返したならば（ＳＴ４０２）、コントロールファイルの受信を指示するサブコマンド“Ｒｅｃｅｉｖｅ　ｃｏｎｔｒｏｌ　ｆｉｌｅ”を送信する（ＳＴ４０３）。このサブコマンドには、コントロールファイルの大きさとコントロールファイル名が含まれている。
　【００５７】
　これに対してＰＣ３がＡＣＫを返したならば（ＳＴ４０４）、ネットワークスキャナ２は、コントロールファイルをＰＣ３へ送信する（ＳＴ４０５）。このコントロールファイルには、ユーザ名、画像ファイルのファイル名等が含まれている。
　【００５８】
　次いで、ＰＣ３がコントロールファイルの受信を完了し、ＡＣＫを返したならば（ＳＴ４０６）、画像ファイル送信を示すサブコマンド“Ｒｅｃｅｉｖｅ　ｄａｔａ　ｆｉｌｅ”を送信する（ＳＴ４０７）。ＰＣ３がＡＣＫを返したこと（ＳＴ４０８）を確認したならば、画像ファイル（ＴＩＦＦファイル）を送信する（ＳＴ４０９）。画像ファイルの受信を完了したならば、ＰＣ３はＡＣＫを返す（ＳＴ４１０）。
　【００５９】
　上述のような画像ファイル転送で利用するＬｐｒ／Ｌｐｄプロトコルは、ＴＣＰベースであるので、コマンド、サブコマンド、コントロールファイルおよびデータファイルの送受信は、パケット単位ではなくストリーム単位により行われる。言い換えれば、ネットワークスキャナ２およびＰＣ３の間でコネクションを確立して通信が行われる。このような通信プロトコルを、コネクション型通信プロトコルといい、他にｆｔｐプロトコルを用いることができる。従って、ネットワークスキャナ２からＰＣ３へデータ送信を行うためには、ネットワークスキャナ２は、送信時にＰＣ３のＩＰアドレスを知る必要がある。さらに、ＩＰアドレスをユーザ名などと一緒にアドレス帳データ２４に登録するには、ＩＰアドレスおよびその他の関連情報（以下、これらをユーザ端末情報という）を取得する必要がある。
　【００６０】
　以下、本実施の形態に係るネットワークスキャナでのＩＰアドレス取得方法について説明する。図５は、上記実施の形態に係るネットワークスキャナおよびパーソナルコンピュータ間でのユーザ端末情報登録動作を示すフロー図である。
　【００６１】
　ネットワークスキャナ２が起動（ＳＴ５０１）すると、探索パケット受信部１９は、ネットワーク１上で特定のポート番号のパケットを監視する（ＳＴ５０２）。
　【００６２】
　一方、ＰＣ３が起動し（ＳＴ５０３）、ネットワークスキャナコントローラアプリケーション３１の起動を検知し、または、探索開始アクション（ユーザ登録の指示）
を受
　【００６３】
　図６は、上記実施の形態に係る探索パケットを示す模式図である。この探索パケット６０には、ＵＤＰパケットを用いている。探索パケット６０の、ＩＰヘッダ６１において、宛先アドレスフィールドにブロードキャスト・アドレス（例えば、２５５．２５５．２５５．２５５）を指定し、また、送信元アドレスフィールドに、ＰＣ３のＩＰアドレスを指定している。
　【００６４】
　また、ＩＰデータフィールド６２の先頭にあるＵＤＰヘッダ６３には、宛先ポート番号として、ネットワークスキャナ２の探索パケット受信部１９が監視するのと同じポート番号が指定されている。
　【００６５】
　さらに、ＵＤＰデータフィールド６４には、このパケットが、探索パケットであることを示す各種情報を含んでいる。すなわち、このパケットがユーザ端末情報の自動登録に関するものであることを示す情報“Ｄｉｓｃｏｖｅｒｙ”、このパケットが処理要求に関するものであることを示す情報“ＲＥＱ”、さらに、パケットの送信元が属するグループ名を示す情報“Ｇｒｏｕｐ”を含んでいる。
　【００６６】
　ＵＤＰプロトコルは、ＴＣＰプロトコルのようにコネクションを確立する必要がないコネクションレス型の通信プロトコルであるので、ネットワークスキャナ２の探索に適している。
　【００６７】
　ネットワークスキャナ２の探索パケット受信部１９は、探索パケット６０を受信し、情報“Ｇｒｏｕｐ”を認識し、応答すべきグループ名か否か判断する（ＳＴ５０７）。例えば、自己の属するグループ名と一致していれば応答すべきと判断し、一致しなければ応答すべきでないと判断する。応答すべきでないと判断した場合、応答せずに再び探索パケット待ちの状態に戻る（ＳＴ５０８）。一方、応答すべきと判断した場合、探索応答パケット送信部２０が探索応答パケットをＰＣ３へ返す（ＳＴ５０９）。ＰＣ３が情報“Ｇｒｏｕｐ”を含まない探索パケット６０を送信した場合、ネットワークスキャナ２は、グループを超えた探索であると判断して必ず応答する。
　【００６８】
　図７は、上記実施の形態に係る探索応答パケットを示す模式図である。この探索応答パケット７０には、ＵＤＰパケットを用いている。探索応答パケット７０の、ＩＰヘッダ７１において、宛先アドレスフィールドに探索パケット６０の送信元、すなわちＰＣ３のＩＰアドレス（以下、ＰＣ・ＩＰアドレスとも言う）を指定し、また、送信元アドレスフィールドに、ネットワークスキャナ２のＩＰアドレスを指定している。
　【００６９】
　また、ＩＰデータフィールド７２の先頭にあるＵＤＰヘッダ７３には、宛先ポート番号として、ＰＣ３の探索応答パケット受信部３６が監視するのと同じポート番号が指定されている。
　【００７０】
　さらに、ＵＤＰデータフィールド７４には、このパケットが、探索応答パケットであることを示す各種情報を含んでいる。すなわち、図６に示す探索パケット６０において、処理要求に関するものであることを示す情報“ＲＥＱ”に代えて、処理応答に関するものであることを示す情報“ＡＣＫ”を用いている。
　【００７１】
　ＰＣ３が探索応答パケット７０を受信すると、ＰＣ３の登録パケット送信部３７は、登録パケットをネットワークスキャナ２へ送信する。
　図８は、上記実施の形態に係る登録パケットを示す模式図である。この登録パケット８０には、ＵＤＰパケットを用いている。登録パケット８０の、ＩＰヘッダ８１において、宛先アドレスフィールドに探索応答パケット７０を返したネットワークスキャナ２のＩＰアドレスを指定し、また、送信元アドレスフィールドに自己のＩＰアドレスを指定している。
　【００７２】
　また、ＩＰデータフィールド８２の先頭にあるＵＤＰヘッダ８３には、宛先ポート番号として、ネットワークスキャナ２の登録パケット受信部２１が監視するのと同じポート番号が指定されている。
　【００７３】
　さらに、ＵＤＰデータフィールド８４には、情報“Ｄｉｓｃｏｖｅｒｙ”，“ＲＥＱ”および“Ｇｒｏｕｐ”に加えて、ユーザ名を示す情報“ＵＳＥＲ”、ユーザ端末情報（特にＩＰアドレス）の有効時間（リース時間）を示す情報“Ｌｅａｓｅ　ｐｅｒｉｏｄ”、および、ユーザが指定したパスワードを示す情報“Ｐａｓｓｗｏｒｄ”を含んでいる。
　【００７４】
　ネットワークスキャナ２の登録パケット受信部２１が登録パケット８０を受信すると、アドレス帳管理部２３は、ユーザ端末情報を登録パケット８０から抽出し（ＳＴ５１１）、アドレス帳データ２４へ登録する（ＳＴ５１２）。その後、登録応答パケット送信部２２は、ＰＣ３へ登録完了を知らせる登録応答パケット９０を送信する（ＳＴ５１３）。
　【００７５】
　図９は、上記実施の形態に係る登録応答パケットを示す模式図である。この登録応答パケット９０には、ＵＤＰパケットを用いている。登録応答パケット９０の、ＩＰヘッダ９１において、宛先アドレスフィールドに登録パケット８０の送信元、すなわちＰＣ・ＩＰアドレスを指定し、また、送信元アドレスフィールドに、ネットワークスキャナ２のＩＰアドレスを指定している。
　【００７６】
　また、ＩＰデータフィールド９２の先頭にあるＵＤＰヘッダ９３には、宛先ポート番号として、ＰＣ３の登録応答パケット受信部３８が監視するのと同じポート番号が指定されている。
　【００７７】
　さらに、ＵＤＰデータフィールド９４には、このパケットが、登録応答パケットであることを示す各種情報を含んでいる。すなわち、図８に示す登録パケット８０において、処理要求に関するものであることを示す情報“ＲＥＱ”に代えて、処理応答に関するものであることを示す情報“ＡＣＫ”を用いている。
　【００７８】
　上記のようなユーザ端末情報登録のフローにおけるネットワークスキャナ２およびＰＣ３の動作についてさらに詳細に説明する。
　図１０は、上記実施の形態に係るパーソナルコンピュータによるネットワークスキャナの探索処理手順を示すフロー図である。
　【００７９】
　ＰＣ３において、まず探索再送カウンタをゼロにリセットする（ＳＴＳＴ１００１）。次に、探索再送カウンタが探索再送回数最大値を超えているか否か判定する（ＳＴ１００２）。初めは探索再送カウンタ＝０であるので「ＮＯ」であり、ＳＴ１００３へ進む。ＳＴ１００３では、探索パケット６０をネットワーク１上にブロードキャスト送信する。次いで、送信開始時間をＰＣ３の内蔵時計から獲得する（ＳＴＳＴ１００４）。その後、現在の時間（内蔵時計から取得）が、送信開始時間および探索応答待ち総時間の和よりも大きくなったか否か、すなわち、ブロードキャスト送信（ＳＴ１００３）から所定の探索応答待ち総時間が経過したか否か判定する（ＳＴ１００５）。
　【００８０】
　ＳＴ１００５で「ＮＯ」である場合、所定の１回あたりの探索対応待ち時間が経過するまで探索応答の受信を待つ（ＳＴ１００６）。受信待ち中に探索応答パケット７０を受信したか否か判定する（ＳＴ１００７）。「ＹＥＳ」である場合、受信した探索応答パケット７０が、自らが送信した探索パケット６０に対するものであるか否か判定する（ＳＴ１００８）。この判定は、例えば、探索応答パケット７０のＵＤＰデータフィールドの情報が“Ｄｉｓｃｏｖｅｒｙ”でかつ処理応答が“ＡＣＫ”かどうかを判定することにより行うことができる。「ＹＥＳ」であった場合、探索応答パケット７０から取得したネットワークスキャナ２のＩＰアドレスを応答テーブルに登録する（ＳＴ１００９）。登録終了後、ＳＴ１００５に戻る。
　【００８１】
　ＳＴ１００８で「ＮＯ」であったならば、探索応答パケット７０が自己の探索パケット６０に対するものでないので探索応答パケット７０を破棄してＳＴ１００５に戻る。
　【００８２】
　ＳＴ１００７で「ＮＯ」、すなわち探索応答パケット７０を受信しなかった場合、応答テーブルが空か否か判定する（ＳＴ１０１０）。ここで「ＹＥＳ」の場合、探索パケット６０が何らかの理由でネットワーク１上から消失し、いずれのネットワークスキャナ２にも到達しなかった場合が考えられるので、探索パケット６０を再度送信するために、探索再送カウンタを１インクリメントした後（ＳＴ１０１１）、ＳＴ１００２へ戻る。次いで、ＳＴ１００２で探索再送カウンタが最大値を超えていないか判定した後、ＳＴ１００３〜ＳＴ１００９を繰り返す。これにより、探索再送回数最大値まで探索パケット６０の再送を行う。
　【００８３】
　一方、ＳＴ１０１０で「ＮＯ」である場合、探索パケット６０は有効に送信されているので、ＳＴ１００５へ戻り、ＳＴ１００６〜ＳＴ１００９を繰り返すことにより、探索パケット６０のブロードキャスト送信（ＳＴ１００３）からの経過時間が、探索応答待ち総時間に達するまで、ネットワークスキャナ２からの応答を待つ。
　【００８４】
　このようにして、ＰＣ３は、ネットワーク１上にある利用可能な全てのネットワークスキャナ２を探索し、そのＩＰアドレスを取得することができる。また、探索パケットの消失やネットワークスキャナ２の応答時間にずれがあっても確実に洩れなく探索することができる。
　【００８５】
　一方、ＰＣ３がネットワークスキャナ２の探索を行っているときの、ネットワークスキャナ２の動作について説明する。
　図１１は、上記実施の形態に係るネットワークスキャナによるパーソナルコンピュータからの探索に対する応答手順を示すフロー図である。
　【００８６】
　ネットワークスキャナ２は、ＰＣ３からの探索パケット６０の受信を常時待っている（ＳＴ１１０１）。パケットを受信したならば（ＳＴ１１０２）、探索パケット６０か否か調べる（ＳＴ１１０３）。受信したパケットに、図６に示すように情報“Ｄｉｓｃｏｖｅｒｙ”および“ＲＥＱ”が含まれていれば探索パケット６０であると判定する。
　【００８７】
　ＳＴ１１０３で探索パケット６０であったならば（ＹＥＳ）、探索パケット６０に含まれる情報“Ｇｒｏｕｐ”からＰＣ３のグループ名を認識し、自己の属するグループのグループ名と一致するか否か調べる（ＳＴ１１０４）。一致したならば（ＹＥＳ）、自己のＩＰアドレスを含む探索応答パケット７０を作成し、ＰＣ３へ送信する（ＳＴ１１０５）。一致しなかったらならば（ＮＯ）、探索パケット６０が情報“Ｇｒｏｕｐ”を含んでいるか否か調べる（ＳＴ１１０６）。探索パケット６０が情報“Ｇｒｏｕｐ”を含んでいない（ＹＥＳ）のであれば、グループを超えた探索であると判断し、ＳＴ１１０５へ進み探索応答パケット７０を送信する。一方、ＮＯであれば、パケットを破棄してＳＴ１１０１へ戻る。このようにして、ネットワークスキャナ２は、ＰＣ３からの探索に応答し、自己のＩＰアドレスをＰＣ３に通知するようになっている。
　【００８８】
　次に、ＰＣ３がネットワークスキャナ２にユーザ端末情報を登録する手順について説明する。
　図１２は、上記実施の形態に係るパーソナルコンピュータにおいてネットワークスキャナへのユーザ端末情報登録手順を示すフロー図である。
　【００８９】
　ＰＣ３は、応答テーブルが空か否か判定する（ＳＴ１２０１）。空であれば（ＹＥＳ）、登録手順を終了する（ＳＴ１２０２）。空でなければ（ＮＯ）、応答テーブルの先頭から一つめのネットワークスキャナ２のＩＰアドレス（登録宛先）を取り出す（ＳＴ１２０３）。次に、登録再送カウンタをゼロにリセットする（ＳＴ１２０４）。その後、登録再送カウンタが登録再送回数最大値を超えているか否か判定し（ＳＴ１２０５）、ＮＯであるならば、図８に示す登録パケット８０を作成、送信する（ＳＴ１２０６）。
　【００９０】
　登録パケット８０を送信したならば、ＰＣ３の内蔵時計から送信開始時間を取得する（ＳＴ１２０７）。次に、現在の時間が、送信開始時間および登録応答待ち総時間の和を超えているか否か、言い換えれば、送信開始から所定の登録応答待ち総時間が経過したか否かを判定する（ＳＴ１２０８）。
　【００９１】
　ＳＴ１２０８で「ＮＯ」であるならば、所定の１回あたりの登録応答待ち時間が経過するまでネットワークスキャナ２からの登録応答パケット９０を待つ（ＳＴ１２０９）。その後、登録応答パケット９０を受信したか否か判定する（ＳＴ１２１０）。「ＹＥＳ」であるならば、自ら送信した登録パケット８０に対する応答か否か判定する（ＳＴ１２１１）。ＳＴ１２１１で「ＹＥＳ」であるならば、登録応答パケット９０から応答してきたネットワークスキャナ２のＩＰアドレスを抽出し、登録先テーブルに登録し（ＳＴ１２１２）、応答テーブルから登録宛先を削除した後（ＳＴ１２１３）、ＳＴ１２０１へ戻り、次の登録宛先へのユーザ端末情報の登録手順に移行する。
　【００９２】
　一方、ＳＴ１２１０で「ＮＯ」であった場合、登録パケット８０が消失しているおそれがあるので、登録再送カウンタを１インクリメントした後（ＳＴ１２１４）、ＳＴ１２０５へ戻り、登録再送カウンタが最大数を超えていないか確認した後、登録パケット８０を再送し、ＳＴ１２０６〜ＳＴ１２１２を繰り返す。また、ＳＴ１２１１で「ＮＯ」であった場合、登録応答パケット９０を破棄し、ＳＴ１２０８へ戻り、ＳＴ１２０９〜ＳＴ１２１２の処理を繰り返す。このようにして、ＳＴ１２０５で登録再送カウンタの値が登録再送回数最大値を超えるか、ＳＴ１２０８で登録パケット送信からの経過時間が、登録応答待ち総時間を超えたならば、登録宛先の電源が落ちているなどの理由により登録宛先が応答できない状態であるので、その登録宛先への登録をあきらめ、次の登録宛先への登録手順に移行する。このようにして、ＰＣ３は、応答テーブルに登録された全ての登録宛先に対してユーザ端末情報の登録を行う。
　図１３は、上記実施の形態に係るネットワークスキャナによるパーソナルコンピュータからのユーザ登録に対する応答手順を示すフロー図である。
　【００９３】
　ネットワークスキャナ２は、ＰＣ３からの登録パケット８０の受信を常時待っている（ＳＴ１３０１）。パケットを受信したならば（ＳＴ１３０２）、登録パケット８０か否か調べる（ＳＴ１３０３）。受信したパケットに、図８に示すように情報“Ｄｉｓｃｏｖｅｒｙ”、“ＲＥＱ”および“ＵＳＥＲ”等が含まれていれば登録パケット８０であると判定する。
　【００９４】
　ＳＴ１３０３で登録パケット８０であったならば（ＹＥＳ）、登録パケット８０に含まれる情報“Ｇｒｏｕｐ”からＰＣ３のグループ名を認識し、自己の属するグループのグループ名と一致するか否か調べる（ＳＴ１３０４）。一致したならば（ＹＥＳ）、ＳＴ１３０５に進む。一方、一致しなかったならば（ＮＯ）、ＳＴ１３０６において、登録パケット８０に情報“Ｇｒｏｕｐ”が含まれているか否か調べ、含まれていないならば（ＹＥＳ）、グループを超えたユーザ端末情報登録の依頼であると判断してＳＴ１３０５へ進む。
　【００９５】
　ＳＴ１３０５では、登録パケット８０に含まれる情報“ＵＳＥＲ”を用いてアドレス帳データ２４を検索し、同一のユーザ名が既に登録されているか否か調べる。「ＮＯ」であったならば、登録パケット８０から抽出したユーザ名、ＰＣ・ＩＰアドレス、グループ名、パスワードなどのユーザ端末情報をアドレス帳データ２４に新規に登録する（ＳＴ１３０７）。
　【００９６】
　一方、ＳＴ１３０５において「ＹＥＳ」であったならば、既に登録済みのユーザ端末情報のユーザ名およびパスワードが、登録パケット８０に含まれる情報“ＵＳＥＲ”、“Ｇｒｏｕｐ”がそれぞれ示すユーザ名およびパスワードと一致するか否か調べる（ＳＴ１３０８）。ＳＴ１３０８において「ＹＥＳ」であったならば、両者は同一であると判断し、登録パケット８０から抽出したユーザ端末情報でアドレス帳データ２４に既存のユーザ端末情報を上書きする（ＳＴ１３０９）。一方、ＳＴ１３０８において「ＮＯ」であったならば、両者は同一でないと判断して、ユーザ端末情報をアドレス帳データ２４に新規に登録する（ＳＴ１３０７）。このようにして、ユーザ端末情報が誤って上書きされることを防止している。
　ＳＴ１３０７およびＳＴ１３０９で登録が終了したならば、登録応答パケット９０を作成、送信し（ＳＴ１３１０）、登録パケット８０の受信待ち状態に戻る（ＳＴ１３０１）。上述のように、ネットワークスキャナ２は、ＰＣ３からの登録パケット８０を受信するとユーザ端末情報を抽出し、アドレス帳データに新規に登録したり更新したりすることができる。
　【００９７】
　上述のようにして、ＰＣ３からネットワークスキャナ２へ登録されたユーザ端末情報を用いて、ネットワークスキャナ２で原稿を読み取り、そのデジタル画像データをＰＣ３へ送信する手順について説明する。
　図１４は、上記実施の形態に係るネットワークスキャナおよびパーソナルコンピュータ間でのデジタル画像データの送信手順を示すフロー図である。
　【００９８】
　ネットワークスキャナ２では、まず、デジタル画像データの送信宛先を指定するのに、アドレス帳を用いるか否か選択する（ＳＴ１４０１）。この選択は、例えば、ネットワークスキャナ２でメニューからアドレス帳メニューを選択することによって行う。ＳＴ１４０１でアドレス帳を使うことを選択した場合（ＹＥＳ）、例えば、操作パネル部２５に設けられたＬＣＤにアドレス帳データ２４に登録されたユーザ名を表示し、ユーザに選択させる（ＳＴ１４０２）。ユーザ名を選択すると、このユーザ名に関連付けしてアドレス帳データ２４に登録されたＰＣ３のＩＰアドレスが呼び出され、宛先として指定される。
　【００９９】
　次いで、指定されたＩＰアドレスに関連付けしてパスワードが登録されているか否か判定する（ＳＴ１４０３）。ＹＥＳである場合、ＬＣＤにパスワードの入力要求のメッセージを表示し、パスワードの入力を待つ（ＳＴ１４０４）。パスワードが入力されたならば、アドレス帳データ２４に登録されたパスワードと照合する（ＳＴ１４０５）。両者が一致したならば（ＹＥＳ）、ＳＴ１４０６へ進むが、一致しなかったならば（ＮＯ）、処理を終了する。ＳＴ１４０３でパスワードがなかった（ＮＯ）場合も、ＳＴ１４０６へ進む。
　一方、ＳＴ１４０１で「ＮＯ」であった場合、ユーザは操作パネル部２５に設けられたキーを用いた宛先のＩＰアドレスの直接入力を受け付け（ＳＴ１４０７）、ＳＴ１４０６へ進む。
　【０１００】
　ＳＴ１４０６では、ネットワークスキャナ２のスキャナ部１１が原稿を読み取り、画情報を得る。次に、画像ファイル生成部１２が、画情報をＴＩＦＦ形式の画像ファイルに変換する（ＳＴ１４０８）。その後、上述のようにＬｐｒ／Ｌｐｔプロトコルに従って、指定された宛先のＰＣ３に画像ファイルを転送する（ＳＴ１４０９）。画像ファイルを受信したＰＣ３では、画像ファイル保存処理部３９が画像ファイルをストレージ部１５に保存する（ＳＴ１４１０）。
　【０１０１】
　以上説明したように、本発明の実施の形態によれば、ＰＣ３で、ネットワークスキャナコントローラアプリケーション３１を起動したり、ユーザが探索開始アクションを行うだけで、ユーザがＰＣ３およびネットワークスキャナ２のＩＰアドレスを調べることなく、ネットワークスキャナ２にＰＣ３のＩＰアドレスを含むユーザ端末情報を自動的に登録できるので、ユーザがＰＣやネットワークに関する知識が乏しくてもネットワークスキャナ２にＰＣ３のユーザ端末情報の登録を簡単に且つ確実に行うことができる。登録終了後は、ネットワークスキャナ２のアドレス帳データ２４から宛先のＩＰアドレスを呼び出し、スキャナ部１１に原稿の読み取りを指示すれば、ＰＣ３へ画情報を送信し、蓄積することができるので、原稿読取の際にＩＰアドレスを入力する手間を省くことができる。
　【０１０２】
　また、登録パケット８０に含めるユーザ端末情報に情報“Ｐａｓｓｗｏｒｄ”を含め、ネットワークスキャナ２のアドレス帳データ２４に、ＩＰアドレスおよびパスワードを関連付けて登録し、図１４に示すように、原稿読取開始（ＳＴ１４０６）に先だってパスワードの照合（ＳＴ１４０３〜ＳＴ１４０５）を行い、パスワードが一致したときにのみ原稿読取を許可しているので、画像ファイルをＰＣ３へ勝手に送信されるのを禁止することができる。
　【０１０３】
　また、登録パケット８０のユーザ端末情報に情報“ＵＳＥＲ”を含め、ネットワークスキャナ２のアドレス帳データ２４に、ＩＰアドレスおよびユーザ名を関連付けて登録しているので、原稿読取の際に識別し難いＩＰアドレスに代えてユーザ名によりユーザがアドレス帳データ２４からＩＰアドレスを呼び出すことができ、操作をより簡単に行うことができる。
　【０１０４】
　また、図１３のＳＴ１３０５において、登録パケット８０で指定されたユーザ名が既にアドレス帳データ２４にあった場合、それらのパスワードを比較（ＳＴ１２０８）し、両者が一致したときだけユーザ端末情報を上書きするので、上書きの誤りにより正しいユーザ端末情報が消失するのを防止している。
　【０１０５】
　また、探索パケット６０および登録パケット８０に情報“Ｇｒｏｕｐ”を含めることにより、ネットワークスキャナ２とＰＣ３の所属グループが同じ場合にのみ、応答や登録を行うことにより、例えば１つのオフィスにネットワークスキャナ２を複数配置し、これらをユーザの所属に応じて使い分けすることができると共に、ユーザ情報登録の際にユーザがこの使い分けを意識する必要もない。
　【０１０６】
　本発明は、当業者に明らかなように、上記実施の形態に記載した技術に従ってプログラムされた一般的な市販のデジタルコンピュータおよびマイクロプロセッサを使って実施することができる。また、当業者に明らかなように、本発明は、上記実施の形態に記載した技術に基づいて当業者により作成されるソフトウエアを包含する。
　【０１０７】
　また、本発明を実施するコンピュータをプログラムするために使用できる命令を含む記憶媒体であるコンピュータプログラム製品が本発明の範囲に含まれる。この記憶媒体は、フロッピーディスク、光ディスク、ＣＤＲＯＭおよび磁気ディスク等のディスク、ＲＯＭ、ＲＡＭ、ＥＰＲＯＭ、ＥＥＰＲＯＭ、磁気または光カード等であるが、特にこれらに限定されるものではない。
　【０１０８】
　【発明の効果】
　以上説明したように、本発明によれば、ユーザ端末装置で探索信号をブロードキャストし、それに
自動的に
自動的に
自動的に
【図面の簡単な説明】
　【図１】
　本発明の実施の形態に係るネットワークスキャナが動作するネットワークシステムを示す概略図
　【図２】
　上記実施の形態に係るネットワークスキャナの機能を示すブロック図
　【図３】
　上記実施の形態に係るパーソナルコンピュータの機能を示すブロック図
　【図４】
　上記実施の形態に係るネットワークスキャナおよびパーソナルコンピュータ間での画像ファイル転送を示すシーケンス図
　【図５】
　上記実施の形態に係るネットワークスキャナおよびパーソナルコンピュータ間でのユーザ端末情報登録動作を示すフロー図
　【図６】
　上記実施の形態に係る探索パケットを示す模式図
　【図７】
　上記実施の形態に係る探索応答パケットを示す模式図
　【図８】
　上記実施の形態に係る登録パケットを示す模式図
　【図９】
　上記実施の形態に係る登録応答パケットを示す模式図
　【図１０】
　上記実施の形態に係るパーソナルコンピュータによるネットワークスキャナの探索処理手順を示すフロー図
　【図１１】
　上記実施の形態に係るネットワークスキャナによるパーソナルコンピュータからの探索に対する応答手順を示すフロー図
　【図１２】
　上記実施の形態に係るパーソナルコンピュータにおいてネットワークスキャナへのユーザ端末情報登録手順を示すフロー図
　【図１３】
　上記実施の形態に係るネットワークスキャナによるパーソナルコンピュータからのユーザ登録に対する応答手順を示すフロー図
　【図１４】
　上記実施の形態に係るネットワークスキャナおよびパーソナルコンピュータ間でのデジタル画像データの送信手順を示すフロー図
　【符号の説明】
　１　ネットワーク
　２　ネットワークスキャナ
　３　パーソナルコンピュータ
　１１　スキャナ部
　１２　画像ファイル生成部
　１３　ファイル管理部
　１４　画像ファイル
　１５　ストレージ部
　１６　ネットワーク通信部
　１７　Ｌｐｄ送信部
　１８　ファイル送信部
　１９　探索パケット受信部
　２０　探索応答パケット送信部
　２１　登録パケット受信部
　２２　登録応答パケット送信部
　２３　アドレス帳管理部
　２４　アドレス帳データ
　２５　操作パネル部
　３１　ネットワークスキャナコントローラアプリケーション
　３２　ネットワーク通信部
　３３　Ｌｐｄ受信部
　３４　ファイル受信部
　３５　探索パケット送信部
　３６　探索応答パケット受信部
　３７　登録パケット送信部
　３８　登録応答パケット受信部
　３９　画像ファイル保存処理部
　４０　ユーザ端末情報管理部
　４１　ユーザ端末情報
　４２　外部アプリケーション管理部
　４３　外部アプリケーション
　６０　探索パケット
　７０　探索応答パケット
　８０　登録パケット
　９０　登録応答パケット